(57)【要約】【課題】  塵埃の捕集および排出が容易であり、狭小空間内も掃除することができ、静粛性があり快適に使用できるコンパクトな手動掃除具を提供する。【解決手段】  捕塵体３を被掃除面に当接して、手動掃除具１を前後に往復移動させることによって、塵埃を捕集し収塵室３７に集めることができる。集めた塵埃は蓋体２８を開放して排出することができる。【選択図】  図２
2009207646.tif 000002
【特許請求の範囲】
【請求項１】
内部空間を有し、該内部空間が下方外部と連通して塵埃を取り入れる導入口が設けられるとともに、前記内部空間が上方外部と連通して塵埃を排出する排出口が設けれられ、しかも該排出口には蓋体が設けられた基体と、
前記基体の前記内部空間内に前後方向に回動可能に保持され、上部に収塵開口が設けられた中空の捕塵体と、
前記捕塵体の前方および後方に位置して前記基体に保持され、除塵面を前記捕塵体に当接するよう常時付勢される前除塵体および後除塵体とを備え、
前記捕塵体は、回動軸心を中心とする断面円弧状の外周面を有し、該外周面の一部が前記導入口から露出されるとともに、前記外周面の周長の中央に、半径方向外側に向け突出して前記外周面を前領域および後領域の二つの領域に区画する突起体が設けられ、
前記前領域には先端を前記収塵開口の前方側の縁に向けて傾倒した傾斜パイルからなる前捕塵ブラシが設けられており、
前記後領域には先端を前記収塵開口の後方側の縁に向けて傾倒した傾斜パイルからなる後捕塵ブラシが設けられており、
前記前除塵体および前記後除塵体それぞれの前記除塵面は、前記前領域および前記後領域それぞれに対向し、
前記前除塵体の前記除塵面には、先端を前記捕塵体の前記収塵開口の前方側の縁に向けて傾倒した傾斜パイルからなる前除塵ブラシが設けられており、
前記後除塵体の前記除塵面には、先端を前記捕塵体の前記収塵開口の後方側の縁に向けて傾倒した傾斜パイルからなる後除塵ブラシが設けられており、
前記基体の回動軸方向の中央に、後方に向けて延出する柄が設けられ、
前記捕塵体が所定の角度回動したとき前記捕塵体の前記収塵開口の回動方向の縁が接触する緩衝部材が、前記基体に設けられている
ことを特徴とする手動掃除具。
【請求項２】
前記蓋体の前方側の縁が前記排出口の前方の縁部に軸支され、
前記蓋体の後方側の縁から延出する舌片が前記柄に設けられた係合部に係止される
ことを特徴とする請求項１に記載の手動掃除具。
【請求項３】
前記捕塵体が回動する方向と同一の方向に回転可能に前記基体に保持された一対の車輪をさらに備える
ことを特徴とする請求項１または２に記載の手動掃除具。
【発明の詳細な説明】
【技術分野】
【０００１】
本発明は、絨毯、畳、フローリング、ソファ、椅子、自動車の車内などの掃除に適した手動掃除具に関する。
【背景技術】
【０００２】
従来の手動掃除具として、特許文献１に記載されるような粘着テープのロールを用いた掃除具が広く用いられている。この掃除具はコンパクトで収納しやすく、また気軽に使えるという利点がある。その一方で、塵埃を捕集し終わると粘着テープを一枚一枚剥がして捨てる必要があり、この後処理が使用者への負担となっていた。また捕集した塵埃以上のゴミを掃除具自体が排出するため、ゴミの総量が増えるいう問題がある。さらに、露出されている面のほとんどが粘着テープで覆われているため、ベッドの下など狭い空間を掃除する場合、粘着テープのロールが周囲の物体に貼着し、スムーズに動かすことができないという問題もあった。
【０００３】
一方、特許文献２に記載されるような粘着テープを用いない手動掃除具も存在する。これは、床面等に押し当てて前後に往復させると絨毯などにからみついた繊維質の塵埃を集めることができる器具である。しかし、上から押さえつけて往復させる必要があるため、ベッドの下などの狭い空間に進入させて掃除をするのが困難であった。また、往復運動させるときカタカタと耳障りな音や振動が生じる場合があった。さらに、集めた塵埃を排出するためには上下ケースを分離する必要があった。
【０００４】
【特許文献１】特開２００３−２６５４０１
【特許文献２】特開２００４−３２９６１８
【発明の開示】
【発明が解決しようとする課題】
【０００５】
そこで、粘着テープなどのゴミを発生することなく捕集した塵埃の排出が容易であり、狭小空間内も掃除することができ、静粛性があり快適に使用できる手動掃除具が求められていた。
【課題を解決するための手段】
【０００６】
本発明は、前記課題を解決するためになされたもので、請求項１に記載の発明は、内部空間を有し、該内部空間が下方外部と連通して塵埃を取り入れる導入口が設けられるとともに、前記内部空間が上方外部と連通して塵埃を排出する排出口が設けれられ、しかも該排出口には蓋体が設けられた基体と、前記基体の前記内部空間内に前後方向に回動可能に保持され、上部に収塵開口が設けられた中空の捕塵体と、前記捕塵体の前方および後方に位置して前記基体に保持され、除塵面を前記捕塵体に当接するよう常時付勢される前除塵体および後除塵体とを備え、前記捕塵体は、回動軸心を中心とする断面円弧状の外周面を有し、該外周面の一部が前記導入口から露出されるとともに、前記外周面の周長の中央に、半径方向外側に向け突出して前記外周面を前領域および後領域の二つの領域に区画する突起体が設けられ、前記前領域には先端を前記収塵開口の前方側の縁に向けて傾倒した傾斜パイルからなる前捕塵ブラシが設けられており、前記後領域には先端を前記収塵開口の後方側の縁に向けて傾倒した傾斜パイルからなる後捕塵ブラシが設けられており、前記前除塵体および前記後除塵体それぞれの前記除塵面は、前記前領域および前記後領域それぞれに対向し、前記前除塵体の前記除塵面には、先端を前記捕塵体の前記収塵開口の前方側の縁に向けて傾倒した傾斜パイルからなる前除塵ブラシが設けられており、前記後除塵体の前記除塵面には、先端を前記捕塵体の前記収塵開口の後方側の縁に向けて傾倒した傾斜パイルからなる後除塵ブラシが設けられており、前記基体の回動軸方向の中央に、後方に向けて延出する柄が設けられ、前記捕塵体が所定の角度回動したとき前記捕塵体の前記収塵開口の回動方向の縁が接触する緩衝部材が、前記基体に設けられていることを特徴とする手動掃除具である。
【０００７】
請求項１に記載の発明によれば、手動掃除具を被掃除面に当接して前後に往復運動するだけで塵埃を捕集することができる。このとき捕塵体の回動が緩衝部材によって制限されるため、不快な衝突音を発生することがない。また柄を把持することによって狭小空間にも容易に進入することができる。
【０００８】
請求項２に記載の発明は、前記蓋体の前方側の縁が前記排出口の前方の縁部に軸支され、前記蓋体の後方側の縁から延出する舌片が前記柄に設けられた係合部に係止されることを特徴とする請求項１に記載の手動掃除具である。
【０００９】
請求項２に記載の発明によれば、柄を把持したまま蓋を開放して、集めた塵埃を排出することができる。
【００１０】
請求項３に記載の発明は、前記捕塵体が回動する方向と同一の方向に回転可能に前記基体に保持された一対の車輪をさらに備えることを特徴とする請求項１または２に記載の手動掃除具である。
【００１１】
請求項３に記載の発明によれば、手動掃除具を手前に引く際に発生する不快な振動を抑制することができる。
【発明の効果】
【００１２】
本発明によれば、捕塵体を被掃除面に当接させつつ、柄を把持して手動掃除具を前後に往復運動するだけで塵埃を捕集することが可能な手動掃除具を提供することができる。このとき捕塵体の回動が緩衝部材によって制限されるため、不快な衝突音を発生することがない。また柄を把持することによって狭小空間内も掃除することができる。
【発明を実施するための最良の形態】
【００１３】
つぎに、この発明の実施の形態について図面に基づき説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１４】
（第１の実施形態）
本発明の第１の実施形態に係る手動掃除具を図１〜３に示す。図１は第１の実施形態に係る手動掃除具を示す斜視図であり、図２は図１における断面Ａ−Ａを示す横断面図であり、図３は底面図および図２における断面Ｂ−Ｂを示す部分断面図である。なお以降の説明において、図２における左手を前方、右手を後方として記述する。
【００１５】
本実施形態にかかる手動掃除具１は、使用者が把持するための柄７が延出する基体２と、基体２の内部に回動可能に保持される略円筒形の捕塵体３と、捕塵体３に当接する前除塵体４ａおよび後除塵体４ｂとを主な構成要素とする。ここで回動とは、一軸まわりにまわる運動であって、３６０度未満のものを意味する。基体２と柄７とは別体のものを一体的に組付けてもよいし、また柄７の部分も別体の部品を貼り合わせて製作してもよいが、本実施形態では基体２と柄７とが一体で成形されたプラスチックとなっている。
【００１６】
基体２は、図２及び図３に示すように、側壁２３，２３，２４，２４を備え、開口が上下面に形成されている。下面の開口が、塵埃を取り入れるための導入口２１であり、上面の開口が、捕集された塵埃を排出するための排出口２２である。
【００１７】
排出口２２の前方側の縁には、蓋体２８を回動可能に保持するために、蓋体２８に設けられた開閉軸２８１を保持する軸受２５が一体形成されている。
【００１８】
柄７には係合部７１が凹設され、排出口２２を閉鎖する場合、蓋体５から後方に向け延出する舌片２８２がここに収められる。係合部７１内に舌片２８２を係止するための微小な突起７１１が形成され、これにより蓋体２８を閉鎖した状態で係止することが可能となる。
【００１９】
基体２の左右の側壁２４，２４のそれぞれの中央部には、図３に示すように、捕塵体３を回動可能に保持するための円形状の保持孔２４１，２４１が同軸上に配置されて形成されている。本実施形態において保持孔２４１は貫通していないが、貫通孔であってもよい。また、柄７の後方部には、手動掃除具１をフックに引っ掛けたり、紐を通したりして利用可能な吊下孔７２が上下方向に貫通して形成されている。
【００２０】
基体２の内部には捕塵体３が回動可能に保持される。捕塵体３は周壁３２および側壁３３，３３を有し、上方に収塵開口３１を有した中空の略半円筒状部材である。本実施形態ではプラスチックで一体に成形された周壁３２および側壁３３，３３により収塵室３７が画成されている。側壁３３，３３から周壁３２の中心と同軸に突出形成された突起３４，３４が、基体２の側壁２４に設けられた保持孔２４１挿入されることにより、捕塵体３は基体２により回動可能に保持される。このとき捕塵体３は、外周面の一部が導入口２１の下端縁よりもやや下方に突出して露出した状態で、基体２に取り付けられる。
【００２１】
捕塵体３の外周面には、周長の中央に半径方向外側に向けて突出する突起体３５が設けられている。突起体３５は被掃除面と接触するため、被掃除面を傷めないよう軟質材が好ましく、また被掃除面との摩擦力により捕塵体３を転回させるため、摩擦係数の大きい材料が好好ましい。そのため突起体３５の材質としてはゴム材が好適である。また、本実施形態では、一つの突起体３５が除塵体３の軸方向のほぼ全長にわたって延びるよう設けられているが、軸方向に分割して複数の突起体を設けることも可能である。
【００２２】
捕塵体３の外周面は突起体２６を境として前領域および後領域の二つの領域に区画され、前領域には、先端を収塵開口３１の前方側の縁３１１ａに向けて傾倒した短毛の傾斜パイルからなる前捕塵ブラシ３６ａが設けられ、後領域には、先端を収塵開口３１の後方側の縁３１１ｂに向けて傾倒した短毛の傾斜パイルからなる後捕塵ブラシ３６ｂが設けられている。
【００２３】
基体２には、左右両側壁２４，２４に平行して、半円形に下部が切り欠かれた隔壁２６，２６が左右に一対設けられている。左右の隔壁２６，２６にそれぞれ設けられた保持孔２６１ａ，２６１ａの一対および保持孔２６１ｂ，２６１ｂの一対がそれぞれ同軸に配置され、後述の前除塵体４ａおよび後除塵体４ｂが回動可能に保持される。
【００２４】
基体２の側壁２３，２３と捕塵体３との間には、図２に示すように、前除塵体４ａおよび後除塵体４ｂがそれぞれ設けられている。前除塵体４ａおよび後除塵体４ｂは、捕塵体３に対向する面が緩やかな円弧状に形成されている。前除塵体４ａおよび後除塵体４ｂそれぞれの上部には、回動軸４１が左右方向外側に突出して形成されており、その回動軸４１を隔壁２６の保持穴２６１に挿入することで、前除塵体４ａおよび後除塵体４ｂは回動軸４１を中心に回動可能とされる。この回動軸４１にはばね４２が外挿されており、ばね４２のばね力により、前除塵体４ａおよび後除塵体４ｂは捕塵体３に向けて付勢される。本実施形態ではばね４２をねじりばねとして利用して付勢しているが、これに代えて押しばねや板ばねを用いることも可能である。また、別体のばねを用いることなく前除塵体４ａおよび後除塵体４ｂを基体２と一体成形とし、側壁２３から延設することによって前除塵体４ａおよび後除塵体４ｂを捕塵体３に向けて付勢することも可能である。
【００２５】
前除塵体４ａにおける捕塵体３と対向する側の面には、先端を捕塵体３の開口３１の前方側の縁３１１ａに向けて傾倒した短毛の傾斜パイルからなる前除塵ブラシ４３ａが設けられ、後除塵体４ｂにおける捕塵体３と対向する側の面には、先端を捕塵体３の開口３１の後方側の縁３１１ｂに向けて傾倒した短毛の傾斜パイルからなる後除塵ブラシ４３ｂが設けられている。前除塵体４ａおよび後除塵体４ｂはばね４２によって常時付勢されているため、前除塵ブラシ４３ａと前捕塵ブラシ３６ａとは常時当接し、後除塵ブラシ４３ｂと後捕塵ブラシ３６ｂとは常時当接している。
【００２６】
基体２の排出口２２には、平面視が略矩形の蓋体２８が開閉可能に取り付けられる。本実施形態の蓋体２８は前方に開閉軸２８１を有し、基体２に設けられた軸受２５に支持されているため、開閉軸２８１を中心に回動可能となっている。さらに蓋体２８からは後方に向けて舌片２８２が延設され、舌片２８２の一部をなす係止部２８３が、柄７に凹設された係合部７１内の突起７１１に係合することによって、蓋体２８が閉鎖可能となる。また舌片２８２の先端にはつまみ２８４が形成され、つまみ２８４を押し上げることによって係合が解除され蓋体２８を開くことができる。ここで、開閉軸２８１と軸受２５との間にねじりばねを設けることにって、蓋体２８に常時付勢力を付与し、つまみ２８４を押し上げると蓋体２８が勢いよく開くよう構成することも可能である。なお、蓋体２８を透明なプラスチックで構成すると、蓋体２８を開放しなくても捕集された塵埃の量を確認することができるという点で好適であるが、蓋体２８の色、形状は適宜選択し得る。
【００２７】
図２に示すように、蓋体２８からは捕塵体３に向けて円筒壁２８５が突設されており、円筒壁２８５に、軟質材から成るドーナツ型の緩衝部材６が外挿されている。緩衝部材６は、捕塵体３の周壁３２を円周方向に延長した位置に配置される。これによって、捕塵体３が所定の角度回動したとき、捕塵体３の収塵開口３１の縁３１１ａ，３１１ｂが緩衝部材６に接触するよう構成することができる。すなわち、突起体３５と除塵体４との接触による衝撃音の発生を防ぐことができる。
【００２８】
次に、上記実施形態の使用状態について説明する。本実施形態の手動掃除具１の柄７を把持し、導入口２１から露出する捕塵体３を被掃除面に当接させ、手動掃除具１を前方に動かす。すると捕塵体３から突出する突起体３５が被掃除面と接触し、後方に摩擦力を受けるため、捕塵体３は図２における反時計方向に回転し、収塵開口３１の縁３１１ｂが緩衝部材６に接触して回転が停止する。このときの断面図を図４に示す。そしてさらに手動掃除具１を前方へ動かすと、基体２の導入口２１から下方に露出している前捕塵ブラシ３６ａによって、被掃除面の塵埃がすくい上げられて捕集される。
【００２９】
次に、手動掃除具１を後方に動かすと、捕塵体３から突出する突起体３５が前方に摩擦力を受けるため、捕塵体３は図２における時計方向に回転し、収塵開口３１の縁３１１ａが緩衝部材６に接触して回転が停止する。このときの断面図を図５に示す。なおこの状態では、前捕塵ブラシ３６ａに捕集された塵埃は前捕塵ブラシ３６ａに付着したままである。そしてさらに手動掃除具１を後方に動かすと、基体２の導入口２１から下方に露出している後捕塵ブラシ３６ｂによって、被掃除面の塵埃がすくい上げられて捕集される。
【００３０】
次に再び手動掃除具１を前方に動かすと、捕塵体３から突出する突起体３５が被掃除面と接触し、後方に摩擦力を受けるため、捕塵体３は図２における反時計方向に回転を始める。このとき、前捕塵ブラシ３６ａに付着していた塵埃は、当接する前除塵ブラシ４３ａによってすくい上げられ、前除塵ブラシ４３ａに移動する。そして開口３１の縁３１１ｂが緩衝部材６に接触して回転が停止し、図４に示す状態となる。このとき基体２の導入口２１から下方に露出している前捕塵ブラシ３６ａには塵埃は付着していない。そしてさらに手動掃除具１を前方へ動かすと、基体２の導入口２１から下方に露出している前捕塵ブラシ３６ａによって、被掃除面の塵埃がすくい上げられて捕集される。
【００３１】
次に再び手動掃除具１を後方に動かすと、捕塵体３から突出する突起体３５が被掃除面と接触し、前方に摩擦力を受けるため、捕塵体３は図２における時計方向に回転を始める。このとき、後捕塵ブラシ３６ｂに付着していた塵埃は、当接する後除塵ブラシ４３ｂによってすくい上げられ、後除塵ブラシ４３ｂに移動する。
【００３２】
一方、前除塵ブラシ４３ａに付着していた塵埃は、当接する前捕塵ブラシ３６ａによってすくい上げられ、開口３１の縁３１１ａを乗り上げて収塵室３７の中に収容される。
【００３３】
そして開口３１の縁３１１ａが緩衝部材６に接触して回転が停止し、図５に示す状態となる。このとき基体２の導入口２１から下方に露出している後捕塵ブラシ３６ｂには塵埃は付着していない。そしてさらに手動掃除具１を後方に動かすと、基体２の導入口２１から下方に露出している後捕塵ブラシ３６ｂによって、被掃除面の塵埃がすくい上げられて捕集される。
【００３４】
次に再び手動掃除具１を前方に動かすと、捕塵体３から突出する突起体３５が被掃除面と接触し、後方に摩擦力を受けるため、捕塵体３は図２における反時計方向に回転を始める。このとき、前捕塵ブラシ３６ａに付着していた塵埃は、当接する除塵ブラシ４３ａによってすくい上げられ、除塵ブラシ４３ａに移動する。
【００３５】
一方、後除塵ブラシ４３ｂに付着していた塵埃は、当接する後捕塵ブラシ３６ｂによってすくい上げられ、開口３１の縁３１１ｂを乗り上げて収塵室３７の中に収容される。
【００３６】
そして開口３１の縁３１１ｂが緩衝部材６に接触して回転が停止し、図４に示す状態となる。このとき基体２の導入口２１から下方に露出している前捕塵ブラシ３６ａには塵埃は付着していない。そしてさらに手動掃除具１を前方に動かすと、基体２の導入口２１から下方に露出している前捕塵ブラシ３６ａによって、被掃除面の塵埃がすくい上げられて捕集される。
【００３７】
以上の過程を繰り返すことによって、被掃除面の塵埃は、前捕塵ブラシ３６ａおよび後捕塵ブラシ３６ｂ、前除塵ブラシ４３ａおよび後除塵ブラシ４３ｂを経由して、収塵室３７に集められることになる。すなわち使用者は、手動掃除具１を被掃除面に当てて前後に往復移動するだけで、塵埃を除去することができる。
【００３８】
なお、除塵体４はばね４２で付勢されており、前除塵ブラシ４３ａおよび後除塵ブラシ４３ｂと前捕塵ブラシ３６ａおよび後捕塵ブラシ３６ｂとの間の隙間を開くことが可能であるため、粒径の大きい塵埃でもスムーズに収塵室３７に導くことができる。また常時付勢することにより前除塵ブラシ４３ａおよび後除塵ブラシ４３ｂと前捕塵ブラシ３６ａおよび後捕塵ブラシ３６ｂとの当接が維持されているため、付着した塵埃を相互に確実にすくい上げることができる。
【００３９】
ところで、捕塵体３は、基体２に対して最大限相対回転されても、その開口３１が導入口２１へ向かないように、すなわち開口３１の縁３１１が導入口２１から露出しないよう、緩衝部材６の位置が調整されている。また、基体２の排出口２２は蓋体２８で閉鎖されている。従って、収塵室３７内に入った塵埃が使用途中にこぼれ落ちるおそれはない。また、突起体３５が前除塵体４ａおよび後除塵体４ｂに接触する前に縁３１１が緩衝部材６に接触するため、前除塵体４ａおよび後除塵体４ｂから不快な衝突音を生じることなく快適に前後に往復運動をすることができる。
【００４０】
たまった塵埃を排出したい場合には、つまみ２８４を操作して係合を解除すれば、蓋体２８は開閉軸２８１を軸に回動し、排出口２２が開放して収塵室３７が露出する。そして収塵室３７に溜まった塵埃を除去することができる。なお、つまみ２８４は柄７の係合部７１の中に収容されているため、使用者は柄７を把持したまま片手で蓋体５を開けることができ、さらに排出口２２を下に向けることによって収塵室３７に溜まった塵埃が落ち、排出が完了する。
【００４１】
（第２の実施形態）
本発明の第２の実施形態に係る手動掃除具を図６および７に示す。図６は第２の実施形態に係る手動掃除具を示す斜視図であり、図７は底面図および部分断面図である。本実施形態に係る手動掃除具１は、第１の実施形態の手動掃除具の左右両端に車輪５，５を脱着可能に設けたものである。
【００４２】
基体２の側壁２４には、保持孔２４１と同軸に車軸２７が突設されている。そして車軸２７の凹部２７１に車輪５の突起５１を係合することによって、車輪５を回転自在に基体２に保持することができる。ここで回転とは、一軸まわりにまわる運動であって、３６０度以上のものを意味する。車輪５はプラスチックで構成されており、材質の弾発力で係合されているため、使用者自身が上記係合を解除して車輪を取り外すことが可能となる。
【００４３】
さらに、蓋体２８に覆い２８６を設け、車輪５の上部を覆っている。これにより、手動掃除具１を狭い隙間などに侵入させる際、車輪５周りの物体と干渉するおそれがなく、スムーズに侵入させることができるため好適である。
【００４４】
次に車輪５の作用について説明する。第１の実施形態において述べたとおり、手動掃除具１を前後に移動させることによって被掃除面の塵埃を捕集することができる。このとき、前捕塵ブラシ３６ａおよび後捕塵ブラシ３６ｂと被掃除面とが摺動することになるが、被掃除面と前捕塵ブラシ３６ａおよび後捕塵ブラシ３６ｂとの間に、進行方向と逆向きの摩擦力が発生する。一方、使用者は柄７を把持して進行方向に向けて摩擦力に抗して力を加える。このとき使用者が動かす力の作用点は摩擦力の作用点より必ず上方であるため、この力の作用点のオフセットにより、手動掃除具１に回転モーメントが働く。
【００４５】
手動掃除具１を前方に移動させる場合、手動掃除具１に作用する回転モーメントの方向は、図２における反時計方向となる。すなわち、捕塵体３を被掃除面に押し当てる方向に作用する。この回転モーメントによって、捕塵ブラシ３６と被掃除面との当接はさらに強まり、塵埃を捕集する効果は向上する。
【００４６】
それに対して、手動掃除具１を後方に移動させる場合、手動掃除具１に作用する回転モーメントの方向は、図２における時計方向となる。すなわち、捕塵体３が被掃除面から浮き上がる方向に作用する。すると、前捕塵ブラシ３６ａおよび後捕塵ブラシ３６ｂと被掃除面との当接が弱まり、摩擦力の大きさによっては被掃除面から浮き上がる場合がある。その場合、塵埃を捕集する効果が低下する。さらに、捕塵体３が被掃除面からのジャンプと接地を繰り返す自励振動が発生するおそれもある。振動は柄７に伝達し、把持する使用者に不快感を与える。
【００４７】
ここで車輪５を設けると、手動掃除具１と被掃除面との常時の当接を確実にすることができ、振動に対して車輪５と基体２との間で減衰効果を発揮し、自励振動の発生を抑制することができる。さらにもしも自励振動が発生しても、振動を車輪側に伝えるため、柄７に伝達される不快な振動を遮断することができる。
【００４８】
なお、被掃除面の材質によって発生する摩擦力は異なり、車輪なしでもスムーズに前後に移動することができる場合もある。そのため、車輪８は使用者が適宜脱着できるよう、基体２の左右両端に脱着可能に設けることが好適である。
【００４９】
以上詳述したように、この発明の手動掃除具によれば、被掃除面に当接して前後に動かすだけで塵埃を自動的に捕集することができ、しかも集めた塵埃を容易に捨てることができる。
【図面の簡単な説明】
【００５０】
【図１】本発明の第１の実施形態における手動掃除具を示す斜視図である。
【図２】図１の断面Ａ−Ａを示す断面図である。
【図３】本発明の第１の実施形態における手動掃除具を示す底面図および図２の断面Ｂ−Ｂを示す部分断面図である。
【図４】本発明の第１の実施形態における手動掃除具を前進させた状態を示した断面図である。
【図５】本発明の第１の実施形態における手動掃除具を後退させた状態を示した断面図である。
【図６】本発明の第２の実施形態における手動掃除具を示す斜視図である。
【図７】本発明の第２の実施形態における手動掃除具を示す底面図および部分断面図である。
【符号の説明】
【００５１】
１  手動掃除具
２  基体
２１  導入口
２２  排出口
２３  側壁
２４  側壁
２４１  保持孔
２５  軸受
２６  隔壁
２６１  保持孔
２７  車軸
２７１  凹部
２８  蓋体
２８１  開閉軸
２８２  舌片
２８３  係止部
２８４  つまみ
２８５  円筒壁
２８６  覆い
３  捕塵体
３１  収塵開口
３１１  縁
３２  周壁
３３  側壁
３４  突起
３５  突起体
３６ａ  前捕塵ブラシ
３６ｂ  後捕塵ブラシ
３７  収塵室
４ａ  前除塵体
４ｂ  後除塵体
４１  回動軸
４２  ばね
４３ａ  前除塵ブラシ
４３ｂ  後除塵ブラシ
５  車輪
５１  突起
６  緩衝部材
７  柄
７１  係合部
７１１  突起
【図１】
2009207646.tif 000003
【図２】
2009207646.tif 000004
【図３】
2009207646.tif 000005
【図４】
2009207646.tif 000006
【図５】
2009207646.tif 000007
【図６】
2009207646.tif 000008
【図７】
2009207646.tif 000009